(57)【要約】おむつ及び失禁ガードの如き吸収物品であって、前記物品が物品の後部分（６）又は前部分に取り付けられた一対のベルト部材（１０ａ，ｂ）を与えられており、前記一対のベルト部材が固定手段（１１，１２）によって着用者の腰の周りに一緒に固定されることを意図されており、前記前部分（５）又は前記後部分がベルト部材（１０ａ，ｂ）に固定されることを意図されている固定手段（８，９）を与えられており、かくして物品がパンツ状形状をとるものにおいて、ベルト部材（１０ａ，ｂ）が超音波、レーザー及び／又は熱によって与えられる結合パターン（１３）で一緒に結合された少なくとも二つの層の繊維材料の柔軟な積層体を含み、前記結合パターンが１０％以下の結合面積を有し、前記積層体が少なくとも２２Ｎの引裂強さを有することを特徴とする吸収物品。【選択図】図１
2005500135.tif 000002
【特許請求の範囲】
【請求項１】
液体透過性上部シート（２）、液体不透過性下部シート（３）及びそれらの間に包囲された吸収体（４）を含むおむつ及び失禁ガードの如き吸収物品であって、前記物品が前部分（５）、後部分（６）及びそれらの間の股部分（７）を有し、更に前記物品が物品の後部分（６）又は前部分に取り付けられた一対のベルト部材（１０ａ，ｂ）を与えられており、前記一対のベルト部材が固定手段（１１，１２）によって着用者の腰の周りに一緒に固定されることを意図されており、前記前部分（５）又は前記後部分がベルト部材（１０ａ，ｂ）に固定されることを意図されている固定手段（８，９）を与えられており、かくして物品がパンツ状形状をとりベルト部材（１０ａ，ｂ）がパンツの腰部分を形成するものにおいて、ベルト部材（１０ａ，ｂ）が超音波、レーザー及び／又は熱によって与えられる結合パターン（１３）で一緒に結合された少なくとも二つの層の繊維材料の柔軟な積層体を含み、前記結合パターンが１０％以下の結合面積を有し、前記積層体が少なくとも２２Ｎの引裂強さを有することを特徴とする吸収物品。
【請求項２】
前記積層体が少なくとも２４Ｎ、好ましくは少なくとも２５Ｎ、より好ましくは少なくとも３０Ｎの引裂強さを有することを特徴とする請求項１に記載の吸収物品。
【請求項３】
前記結合パターンが８％以下の、好ましくは５％以下の結合面積を有することを特徴とする請求項１又は２に記載の吸収物品。
【請求項４】
前記結合パターン（１３）が１ｃｍ２あたり１〜１５個の結合部位の結合部位緻密さを有することを特徴とする請求項１〜３のいずれか一項に記載の吸収物品。
【請求項５】
前記結合パターン（１３）が１ｃｍ２あたり１〜１０個の結合部位の結合部位緻密さを有することを特徴とする請求項４に記載の吸収物品。
【請求項６】
前記積層体が少なくとも三つの層の繊維材料を含み、前記少なくとも三つの層が前記固定手段（８，９；１１，１２）のための取り付け表面として作用する外側層（１４）、比較的引裂強さが大きい繊維材料の中央層（１５）及び柔らかくて皮膚に優しい繊維材料の内側層（１６）であることを特徴とする請求項１〜５のいずれか一項に記載の吸収物品。
【請求項７】
前記中央層（１５）がスパンボンド及びメルトブロー材料の如き連続フィラメントを含む層であることを特徴とする請求項６に記載の吸収物品。
【請求項８】
前記固定手段（８，９；１１，１２）のための取り付け表面として作用する、特にフックアンドループ型ファスナーのためのループ材料として作用する、前記外側層（１４）がしわ付けされていることを特徴とする請求項６又は７に記載の吸収物品。
【発明の詳細な説明】
【０００１】
技術分野
本発明は液体透過性上部シート、液体不透過性下部シート及びそれらの間に包囲された吸収体を含むおむつ及び失禁ガードの如き吸収物品であって、前記物品が前部分、後部分及びそれらの間の股部分を有し、更に前記物品が物品の後部分又は前部分に取り付けられた一対のベルト部材を与えられており、前記一対のベルト部材が着用者の腰の周りに一緒に固定されることを意図されており、前記前部分又は前記後部分がベルト部材に固定されることを意図されている固定手段を与えられており、かくして物品がパンツ状形状をとりベルト部材がパンツの腰部分を形成するものに関する。
【０００２】
発明の背景
おむつ及び失禁症の成人のための失禁ガードは通常、吸収体を使用者の体に対して適所に保持する衣料部分、及び使用者が動いているときにも衣料部分を適所に保持する取り付け手段を有する。取り付け手段の一般的な型は接着テープ又はタッチアンドクローズ型のフックアンドループファスナーであり、これらは吸収物品の前部分と後部分を相互に対して直接取り付ける。ベルトによって物品の前部分と後部分を取り付けることがＥＰ−Ａ−０２８７３８８、ＥＰ−Ａ−０４０９３０７、ＥＰ−Ａ−０６０５０１２及びＦＲ−Ａ−２５８６５５８を通して更に知られている。ベルト部材は通常、おむつの後部分に取り付けられており、着用者の腰の周りに一緒に固定されることを意図されており、次におむつの前部分に与えられている固定手段がベルト部材の外側に固定されることを意図される。ベルトはおむつの適合性を調整することに対して改善された可能性を与える。更に、ベルトは特に着用者が起立しているときのおむつ又は失禁ガードの単純化された変化を与える。
【０００３】
これらのベルトの有する一つの問題はそれらが使用者に対して皮膚刺激を生ずるかもしれないということである。これはベルトが着用者の皮膚と直接接触するため、及びベルトがおむつ又は失禁ガードの漏れに対する安全性及び満足な適合性を有するためにはベルトは比較的強く締め付けられなくてはならないためである。ベルトと皮膚の間の緻密な接触及び摩擦により、皮膚の機械的摩耗が生じ、これは刺激のみならず皮膚損傷すら生じるであろう。それ故、ベルトの内側を形成するために用いられる材料が柔らかくて皮膚に優しいことは重要である。この問題に取り組んでいるベルト材料はＷＯ  ００／２７３３０及びＷＯ  ０１／００１２９に開示されている。
【０００４】
ベルトに関して生ずるかもしれない他の問題はベルトは着用者の周りに締め付けられたときに引裂けるかもしれないということである。この問題は繊維材料から全体的に構成されるベルトであってしばしば２以上の層の不織布材料が一緒に結合されて積層体となっているベルトについて特に生じる。一つの層がプラスチックフィルムであるベルトはしばしば強いが、それらは窮屈で比較的堅いため着用するのに快適でないという欠点を有する。
【０００５】
発明の目的及び最も重要な特徴
本発明の目的は着用するのに快適でありかつ引裂きに対して抵抗性を有する吸収物品のためのベルトを提供することである。この目的は本発明によればベルト部材が超音波、レーザー及び／又は熱によって与えられる結合パターンで一緒に結合された少なくとも二つの層の繊維材料の柔軟な積層体を含み、前記結合パターンが１０％以下の結合面積を有し、前記積層体が少なくとも２２Ｎの引裂強さを有するという事実により達成された。
【０００６】
一実施態様によれば前記積層体は少なくとも２４Ｎ、好ましくは少なくとも２５Ｎ、より好ましくは少なくとも３０Ｎの引裂強さを有する。
【０００７】
更に好ましい実施態様によれば前記結合パターンは８％以下の、好ましくは５％以下の結合面積を有する。
【０００８】
本発明の更なる側面においては前記結合パターンは１ｃｍ２あたり１〜１５個、好ましくは１ｃｍ２あたり１〜１０個の結合部位の結合部位緻密さ（ｔｉｇｈｔｎｅｓｓ）を有する。
【０００９】
一実施態様によれば前記積層体は少なくとも三つの層の繊維材料を含み、前記少なくとも三つの層はフックアンドループ型ファスナーのためのループ材料として作用する外側層、比較的引裂強さが大きい繊維材料の中央層及び柔らかくて皮膚に優しい繊維材料の内側層である。
【００１０】
前記中央層のための好適な比較的引裂強さが大きい繊維材料はスパンボンド及び／又はメルトブロー材料の如き連続フィラメントを含む不織布材料である。
【００１１】
本発明の一実施態様によれば前記固定手段のための取り付け表面として作用する、特にフックアンドループ型ファスナーのためのループ材料として作用する、前記外側層はしわ付けされている（ｃｒｅｐｅｄ）。
【００１２】
図面の記述
本発明は添付の図面に示された実施態様を参照して以下にさらに詳細に記述されるであろう。
図１は本発明によるベルトを与えられたおむつの模式的透視図を示す。
図２は本発明による積層体の分解図を模式的に示す。
【００１３】
実施態様の記述
図面の図１は液体透過性上部シート２、液体不透過性下部シート３及びそれらの間に包囲された吸収体４を含むおむつ又は失禁ガード１の実施態様を示す。液体透過性上部シート２はこの目的のために用いられるいかなる材料であることができ、例えば連続フィラメントのスパンボンド材料の如き不織布材料、メルトブロー材料、カードされた繊維ウェブの如き熱結合された繊維ウェブであることができる。上部シートは結合パターンで結合されたいわゆるトウ繊維の層又は穿孔されたプラスチックフィルムの層であることもできる。
【００１４】
液体不透過性下部シート３はこの目的のために用いられるいかなる材料であることができ、例えばプラスチックフィルム、液体不透過性材料で被覆された不織布材料、液体の透過に対して抵抗性である疎水性不織布材料及び／又はプラスチックフィルムと不織布材料の積層体であることができる。空気及び水蒸気に対して透過性であるが液体透過に対して少なくともある圧力まで抵抗性である通気性材料も下部シート材料として用いられることができる。
【００１５】
上部シート２及び下部シート材料３は吸収体４よりも平面においていくらか大きい範囲を有しており、その縁の外側に延びている。層２及び３はその突出部分内で例えば接着又は熱もしくは超音波による溶接によって相互に接続されている。
【００１６】
吸収体４はこの目的のために用いられるいかなる種類のものであることができる。一般的に用いられる吸収材料の例はセルロース毛羽パルプ、ティッシュー層、高度吸収性ポリマー（いわゆる超吸収剤）、吸収性フォーム材料、吸収性不織布材料又はそれらの類似材料である。吸収体においてセルロース毛羽パルプを超吸収剤と組合わせることは一般的である。また、液体取得能力、液体分散能力及び貯蔵能力に関して異なる特性を有する異なる材料の層を含む吸収体を有することも一般的である。これは当業者には周知であり、それ故、詳細に記述される必要はない。例えばベビー用おむつ及び失禁ガードにおいて一般的である薄い吸収体はセルロース毛羽パルプと超吸収剤の圧縮された混合又は層状構造をしばしば含む。
【００１７】
おむつは吸収パンツのように着用者の胴体の下部を包囲することを意図されている。それは使用中着用者の体の前部分に着用されることを意図される前部分５、使用中着用者の体の後部分に着用されることを意図される後部分６、及び前部分と後部分の間に位置され脚の間の使用者の股部分に着用されることを意図される狭い股部分７を含む。前部分５はいわゆるフックアンドループ型ファスナーのフック材料９の如き取り付け手段又は接着テープの如き他の型の取り付け手段を担持する一対のタブ８を与えられている。
【００１８】
用語「フック材料」は係合する「フック」要素を有する機械的固定手段の部分を示すのに用いられる。しかしながら、係合要素の形状が「フック」のみを含むことを限定することは意図されておらず、相補的ループ固定材料を機械的に係合するために当該技術分野で知られている一方向又は双方向のいかなる形状の係合要素も包含することが意図される。
【００１９】
一対のベルト部材１０ａ及びｂはおむつの後部分６に一端が例えば接着又は超音波溶接により取り付けられている。ベルト部材１０ａ，ｂはそれらの対向端が例えば一方のベルト部材１０ａ上のタブ１１によって一緒に固定されることを意図されており、前記タブはいわゆるフックアンドループ型ファスナーのフック材料１２を担持する。タブ１１上のフック材料１２は対向するベルト部材１０ｂの外側に取り付けられることを意図されている。フックアンドループ型ファスナー１２の代わりに接着テープの如き別の型の任意の取り付け手段があってもよい。
【００２０】
フック材料又は前部分５の対応する取り付け手段を担持するタブ８はおむつを一緒に固定して所望のパンツ状形状にするためにベルト部材１０ａ，ｂの外側に取り付けることを意図されている。
【００２１】
代替的実施態様においてはベルト部材１０ａ，ｂはおむつの前部分５に取り付けられ、次に着用者の背中に一緒に固定される。例えばフック材料又は接着テープの固定手段を担持するタブ８はこの場合、おむつの後部分６に与えられる。
【００２２】
ベルト部材１０ａ，ｂの外側はタブ８及び１１の上の固定手段と協同する受入れ表面として作用すべきである。フックアンドループファスナーの場合、ベルト部分の外側上の材料はループ材料として作用すべきである。この点における用語「ループ」は材料の別個に形成されたループが相補的フック材料のフック要素を受け入れてこれと係合するために適合されている材料のみに限定されず、個々の繊維が別個のループに形成されることなしにフック要素と係合するように機能する繊維不織布を含むループ材料をも意味する。
【００２３】
テープファスナーの場合、ベルト部材１０ａ，ｂの外側の上の材料は接着テープのための取り付け表面として作用すべきである。ある種の不織布材料はフックアンドループファスナーのためのループ材料としてかつ接着テープの再固定を可能とする取り付け表面として機能するであろう。これはＷＯ  ０１／００１２９に開示されている。
【００２４】
ベルト部材の幅は５〜２０ｃｍ、好ましくは７〜１５ｃｍであるべきである。
【００２５】
本発明によるベルト部材は超音波、レーザー及び／又は熱によって与えられる結合パターン１３で一緒に結合された少なくとも二つの層の繊維材料の柔軟な積層体を含む。それ故、層の繊維材料中の繊維の少なくともいくらかはかかる結合技術によって溶融可能であるべきである。図２に開示される一実施態様において積層体は三つの層１４，１５及び１６を含む。結合パターン１３は１０％以下の結合面積を有すべきであり、積層体は少なくとも２２Ｎの引裂強さを有するべきである。これはベルトが着用者の腰の周りに締め付けられるときにベルト部材を引裂に対して抵抗性にするであろう。２１Ｎ以下の引裂強さを有するベルトについての通常の使用における引裂頻度は許容不可能なほど高かったことが試験により証明されている。好ましくは引裂強さは少なくとも２４Ｎ、より好ましくは少なくとも２５Ｎ、最も好ましくは少なくとも２７Ｎであるべきである。２９Ｎ以上の引裂強さを有するベルトについては引裂は全く生じなかった。
【００２６】
引裂強さ
引裂強さは少なくとも４時間の状態調節時間、２３℃の温度及び５０％Ｒ．Ｈ．の相対湿度が用いられるという変更を加えたＥＤＡＮＡテスト方法ＴＥＡＲ  ７０．３−９６によって測定される。
【００２７】
結合面積及び結合緻密さ
１０％より大きい結合面積は引裂の徴候又は切れ目の量の増大を生じ、ベルト部材の引裂の危険性を増大させるであろう。
【００２８】
好ましくは結合面積は８％以下であるべきであり、より好ましくは５％以下であるべきである。
【００２９】
結合パターンはパターンで配置された点、線、斑点などの形の複数の結合部位を含む。結合パターンの結合面積は結合部位からなるパターンの量として規定される。
【００３０】
高い引裂強さを与える他の重要な要因は結合緻密さであり、これは単位面積あたりの結合部位の数である。結合パターン１３は１ｃｍ２あたり１〜１５個の結合部位の結合緻密さを有することが好ましい。好ましくはそれは１ｃｍ２あたり１〜１０個の結合部位の結合緻密さを有する。結合の緻密さが高いほどより多くの引裂の徴候又は切れ目が形成され、これは引裂強さを損なうであろう。
【００３１】
例えば線の形の比較的大きな結合部位によって比較的大きな結合面積は例えば点の形の小さな結合部位の結合パターンと比較して比較的少数の結合部位を与えられるかもしれないということが指摘される。小さな結合部位の結合パターンは大きな結合サイズのパターンと同じ結合面積を与えるためにはより緻密に配置されなければならない。従って、結合面積と結合緻密さの両方が重要である。
【００３２】
積層体材料の好ましい例
本発明による積層体の一実施態様は少なくとも三つの繊維材料層１４，１５及び１６からなる不織布積層体である。ベルトの外側を形成することを意図される一方の外側層１４はタブ８及び１１の上の固定手段のための取り付け表面として作用するように適合された繊維材料である。不織布材料の例はスパンボンド、メルトブロー、カードされて結合された材料などである。中央層１５は連続フィラメントを含むスパンボンド又はメルトブロー材料の如き比較的引裂強さが大きい繊維材料からなるべきである。着用者に面するベルトの内側層を形成することを意図される他方の外側層１６は柔らかくて皮膚に優しい繊維材料からなるべきである。好適な材料の例はスパンボンド及びメルトブロー材料、カードされて結合された材料などである。異なる繊維材料に用いられるポリマー材料の例はこの目的のために好適ないかなる材料であることもでき、例えばポリプロピレン、ポリエチレン、ポリエステル及び／又はいわゆる二成分繊維であることができる。
【００３３】
不織布積層体の基本重量は４０〜１５０ｇｓｍ、好ましくは６０〜１２０ｇｓｍ、より好ましくは７５〜１０５ｇｓｍであることができる。
【００３４】
積層体の一以上の層はしわ付けされることができる。一実施態様によれば固定手段のための受入れ材料として作用することを意図されている、特にフックアンドループ型ファスナーのためのループ材料として作用することを意図されている、外側層１４はしわ付けされている。ループをしわ付けすることにより、材料の機能は改良される。
【００３５】
本発明による積層体の一つの非限定的例は以下の三つの層からなる積層体である：
カードされて熱結合された材料、基本重量３０ｇｓｍ、２．２ｄｔｅｘのＰＰ繊維；
スパンボンド層、基本重量４０ｇｓｍ、２．２ｄｔｅｘのＰＰ繊維；
カードされて熱結合された材料、基本重量２２ｇｓｍ、２．２ｄｔｅｘのＰＰ繊維。
【００３６】
スパンボンド層は中央層として用いられ、最高の基本重量を有するカードされた材料はベルトの外側として用いられてフックアンドループ型ファスナーのループ材料として作用するように適合され、最低の基本重量を有するカードされた材料はベルトの内側の皮膚に面する側として用いられる。
【００３７】
積層体は超音波結合によって結合され、約３％の結合面積及び１ｃｍ２あたり約７個の結合部位の結合緻密さを有する。引裂強さは５０〜６０Ｎである。
【図面の簡単な説明】
【００３８】
【図１】本発明によるベルトを与えられたおむつの模式的透視図を示す。
【図２】本発明による積層体の分解図を模式的に示す。
【図１】
2005500135.tif 000003
【図２】
2005500135.tif 000004
【国際公開パンフレット】
2005500135.tif 000005
2005500135.tif 000006
2005500135.tif 000007
2005500135.tif 000008
2005500135.tif 000009
2005500135.tif 000010
2005500135.tif 000011
2005500135.tif 000012
2005500135.tif 000013
2005500135.tif 000014
2005500135.tif 000015
2005500135.tif 000016
2005500135.tif 000017
【国際調査報告】
2005500135.tif 000018
2005500135.tif 000019